(57)【要約】      （修正有）【課題】連続信号伝送におけるタイミング同期確立手段のみならず、バースト信号伝送のタイミング同期追従手段としての多値ＱＡＭ用のタイミング同期回路の提供。【解決手段】タイミング同期回路が、入力信号に対し、アイ開口時点に対応するサンプルは第１出力端子に、アイ開口時点以外は第２出力端子に出力する第１スイッチ手段と、アイ開口時点のサンプルに対して識別処理を行い、送信データ列を再生する識別手段と、その出力を１シンボル時間保持する記憶手段と、連続した２シンボルにわたる識別手段の出力に基づいて後続の第２スイッチ手段の制御手段と、第１スイッチ手段の第２出力端子の入力信号を前記制御手段の制御下でｎ個の出力端子に出力する第２スイッチ手段と、それに接続されたｎ個の位相誤差検出手段と、その位出力の平均化手段と、その連続した２シンボルの送信データに対応する入力信号と基準信号振幅との差をタイミング位相誤差として出力する。【選択図】図１
2005160006.tif 000002
【特許請求の範囲】
【請求項１】
ＰＳＫを含む４Ｍ値ＱＡＭ変調信号（Ｍは自然数）の復調に用いるタイミング同期回路において、当該タイミング同期回路が：
シンボルレートの２倍のサンプリングレートでサンプリングされた、直交復調器の同相チャネル出力または直交チャネル出力を、ローパスフィルタを介して入力として、
該入力信号に対して、アイ開口時点に対応するサンプルは第１出力端子に出力し、アイ開口時点以外のサンプルは第２出力端子に出力する第１スイッチ手段と；
該第１スイッチ手段の前記第１出力端子に接続され、前記アイ開口時点に対応するサンプルに対して識別処理を行い、送信されたデータ列を再生する識別手段と；
該識別手段の出力を１シンボル時間保持する記憶手段と；
該記憶手段の出力および前記識別手段の出力を入力とし、時間的に連続した２シンボルにわたる識別手段の出力に基づいて後述の第２スイッチ手段およびｎ個の位相誤差検出手段に対して制御を行う制御手段と；
前記第１スイッチ手段の第２出力端子の出力を入力とし、該入力信号を前記制御手段の制御下でｎ個の出力端子に出力する第２スイッチ手段と；
該第２スイッチ手段のｎ個（ｎ≦２（Ｍ−１）・（２Ｍ−１））の各出力端子にそれぞれ接続されたｎ個の位相誤差検出手段と；
該ｎ個の位相誤差検出手段の出力を入力とし、平均化処理を行う平均化手段と；
を具備し、
前記位相誤差検出手段が、前記制御手段により制御される前記第２スイッチ手段の出力を入力とし、前記制御手段の出力に従い、時間的に連続した第１シンボルと第２シンボルとの２シンボルにわたる４Ｍ通りの信号遷移のうち、２シンボルとも同一の振幅を取る信号遷移を除いた２Ｍ・（２Ｍ−１）通りの信号遷移について、
前記時間的に連続した２シンボルの送信データに対応する信号振幅の平均値を基準信号振幅とし、
・第１シンボルが基準信号振幅以下で、且つ第２シンボルが基準信号振幅以上、
・第１シンボルが基準信号振幅以上で、且つ第２シンボルが基準信号振幅以下、
の２通りの信号遷移について、前記第２スイッチ手段の出力からの入力信号を基準信号振幅を中心に折り返すことで、遷移の向きを右上がり、あるいは左上がりにそろえ、その上で該入力信号と前記基準信号振幅との差を位相誤差として出力するようにしたことを特徴とするタイミング同期回路。
【請求項２】
請求項１記載のタイミング同期回路において、前記位相誤差検出手段が前記第２スイッチ手段からの入力信号と前記基準信号振幅との差の符号を位相誤差信号として出力することを特徴とするタイミング同期回路。
【請求項３】
請求項２記載のタイミング同期回路において、前記入力信号の内部表現に自然２進数を割り当てた場合に、前記ｎ個の位相検出手段を排他的論理和で実現することを特徴とするタイミング同期回路。
【請求項４】
請求項１〜３のいずれか一項に記載のタイミング同期回路において、前記ｎ個の位相誤差検出手段の出力の後段に各々重み付け手段を設けたことを特徴とするタイミング同期回路。
【請求項５】
ＰＳＫを含む４Ｍ値ＱＡＭ変調信号（Ｍは自然数）の復調に用いるタイミング同期回路において、当該タイミング同期回路が：
シンボルレートの２倍のサンプリングレートでサンプリングされた、直交復調器の同相チャネル出力または直交チャネル出力を、ローパスフィルタを介して入力として、
該入力信号に対して、アイ開口時点に対応するサンプルは第１出力端子に出力し、アイ開口時点以外のサンプルは第２出力端子に出力するスイッチ手段と；
該スイッチ手段の前記第１出力端子に接続され、前記アイ開口時点に対応するサンプルに対して識別処理を行い、送信されたデータ列を再生する識別手段と；
該識別手段の出力を１シンボル時間保持する記憶手段と；
前記スイッチ手段の第２出力端子の出力と、前記識別手段の出力および前記記憶手段の出力とを入力として、前記スイッチ手段の第２出力端子からの入力と後述の基準信号振幅との差を位相誤差として出力する位相誤差検出手段と；
該位相誤差検出手段の出力を入力とし、平均化処理を行う平均化手段と；
を具備し、
前記位相誤差検出手段が、
前記識別手段の出力および前記記憶手段の出力を入力として、時間的に連続した第１シンボルと第２シンボルとの２シンボルにわたる４Ｍ通りの信号遷移のうち、２シンボルとも同一の振幅を取る信号遷移を除いた２Ｍ・（２Ｍ−１）通りの信号遷移について、前記第１および第２シンボルの送信データに対応する信号振幅の平均値を前記基準信号振幅として出力する基準信号振幅計算手段と、
該基準信号振幅計算手段の前記基準信号振幅出力を前記スイッチ手段の第２出力端子からの入力から減算する減算手段と、
該減算手段の出力を入力として、
・第１シンボルが基準信号振幅以下で、且つ第２シンボルが基準信号振幅以上、
・第１シンボルが基準信号振幅以上で、且つ第２シンボルが基準信号振幅以下、
の２通りの信号遷移について、前記前記減算手段の出力を符号反転し、遷移の向きを右上がり、あるいは左上がりにそろえるための符号反転手段と、
で構成されるようにしたことを特徴とするタイミング同期回路。
【請求項６】
前記位相誤差検出手段は位相誤差の符号を表す１ビットのみを出力することを特徴とする請求項５に記載のタイミング同期回路。
【発明の詳細な説明】
【技術分野】
【０００１】
本発明は、変調方式として多値ＱＡＭ（Quadrature Amplitude Modulation :直交振幅変調）を用いた復調器におけるタイミング同期確立手段、あるいは一旦確立したタイミング同期を維持するための同期追従手段に関するものである。
【背景技術】
【０００２】
ＱＡＭ信号に対する復調器を実現する場合、振幅多値数の増大と共に雑音余裕が小さくなるため、相対的に装置の各種劣化要因による影響が大きくなる。特に復調器の搬送波周波数および位相、あるいはクロックタイミングに係る同期系の特性は重要である。
【０００３】
タイミング同期の確立方法としては、
（１）受信信号（中間周波数帯、ベースバンド）からクロックを直接生成する方法；
（２）サンプリングされた信号からタイミング誤差を検出し、その検出結果をもとにクロック発振器を制御する方法；
の２種類に大別される方法がある。
【０００４】
上記（１）の従来技術においては、まず受信信号を２乗演算等の非線形信号処理で歪ませることで本来受信信号には含まれないクロック周波数成分を発生させ、これを狭帯域フィルタにより抽出することにより所望のクロック信号を発生させる。狭帯域フィルタの代わりにタンクリミッタ回路やＰＬＬ（Phase Locked Loop）を用いることも多い。
【０００５】
一方、図８に上記（２）の従来技術の場合における一般的な回路構成を示す。この場合には、クロックをＶＣＯ（Voltage Controlled Oscillator:電圧制御可変発振器）４３０で発生させる。位相誤差検出手段４１０の出力をもとに、ローパスフィルタ４２０を介してＶＣＯ４３０の制御電圧を操作することで、サンプルタイミングを最適にすることができる。以上の（１）、（２）の技術については特許文献１において従来技術として概略が述べられている。また、（２）の技術については、ＶＣＯの使用は実装上の負担が大きいことから、ＶＣＯ４３０を使用する代わりにディジタル的に補間信号処理することでタイミング誤差を補正する方法もある。
【０００６】
上記（２）の方法に用いる位相誤差検出手段の実現方法の１つに「ゼロクロス」と呼ばれる技術がある。図９を用いてその動作を説明する。なお、図９の横軸は時間、縦軸は信号振幅を表しており、直交復調器出力の信号波形の時間変化を示したものである。また、３組の矢印はそれぞれ、（１）最適サンプリング位相、（２）位相進み、（３）位相送れの場合のサンプルタイミングを示している。
【０００７】
図９において、信号振幅がゼロを横切る信号遷移に着目すると、最適タイミングが実現されている場合には、アイ開口点の間の点（図中のt=t1の点。以下、アイクローズ点と呼ぶ）のサンプル値の平均値はゼロになる。位相進みの場合には、信号振幅が負から正に変化する信号遷移（信号遷移１）ではアイクローズ点のサンプリング位置がずれるためにサンプル値は負となり、また、信号振幅が正から負に変化する信号遷移（信号遷移２）では正となる。逆に、位相遅れの場合には、信号遷移１ではアイクローズ点のサンプル値は正となり、また、信号遷移２では負となる。
【０００８】
例えば、信号振幅が負から正に変化する信号遷移１を基準とし、信号遷移２の場合には信号出力の符号を反転すれば、位相進みでは負、位相遅れでは正の符号を持ち、タイミング誤差に対応した大きさを持つ出力（図９中の太線部分）を得ることができる。
【０００９】
上記の説明では、タイミング誤差を検出する際に信号遷移の方向をそろえたが、アイ開口点およびアイクローズ点のサンプルの符号に着目すれば、位相進みの場合には同符号、位相遅れの場合には異符号となることから、排他的論理和によりタイミング誤差を検出することも可能である。
【００１０】
ゼロクロス法は、本来変調方式がＢＰＳＫ（Binary Phase Shift Keying）やＱＰＳＫ（Quadrature Phase Shift Keying）である場合に適用可能な技術であり、上記のゼロクロス法をそのまま多値ＱＡＭに適用すると、特許文献２に記載があるように、ゼロクロス点での信号振幅の分散が大きいためジッタが大きくなるという問題点がある。この問題に対して、特許文献２では２つの連続したアイ開口点のサンプルが等振幅で異符号である信号遷移の場合にのみ、選択的に前述のゼロクロス法と同様のタイミング位相誤差検出を行うことで、アイクローズ点での信号振幅のばらつきを低減し、タイミングジッタを抑圧している。
【００１１】
【特許文献１】特開２０００-４９８７７号公報、（第２〜３頁、図１１〜図１３）
【特許文献２】特開平９-２４７２２９号公報
【発明の開示】
【発明が解決しようとする課題】
【００１２】
一般に、タイミング同期を高精度化するためには、受信信号に含まれる雑音の影響を極力低減する必要があるため、従来はループフィルタを狭帯域化することによりこれを実現している。このため、タイミング同期を高精度化するに伴なってタイミング同期回路の初期引き込み時間は長くなる。同時に、ループフィルタを狭帯域化すると、同期引き込み可能な周波数の範囲が狭くなるため、周波数偏差の小さい発振器を使用する必要が生じ、コスト上昇の要因となる問題もある。
【００１３】
１６ＱＡＭに前記特許文献２に記載の技術を用いた場合には、ランダム信号の伝送を仮定すると、受信サンプルのうちの１／４（−１⇔１，−３⇔３の４通りの信号遷移／全１６通り）しか同期信号処理に使うことができない。このため、同期追従の効果が小さいという問題がある。これは同期制御のためのフィードバックループのループゲインが小さいことに相当する。
【００１４】
そこで、本発明は、上記の問題点を解決し、連続信号伝送におけるタイミング同期確立手段としてのみならず、バースト信号伝送におけるタイミング同期追従手段としても良好に動作する多値ＱＡＭ変調信号用のタイミング同期回路を提供することを目的とする。
【課題を解決するための手段】
【００１５】
上記の目的を達成するため、請求項１記載の発明は、ＰＳＫを含む４Ｍ値ＱＡＭ変調信号（Ｍは自然数）の復調に用いるタイミング同期回路において、当該タイミング同期回路が：
シンボルレートの２倍のサンプリングレートでサンプリングされた、直交復調器の同相チャネル出力または直交チャネル出力を、ローパスフィルタを介して入力として、
該入力信号に対して、アイ開口時点に対応するサンプルは第１出力端子に出力し、アイ開口時点以外のサンプルは第２出力端子に出力する第１スイッチ手段と；
該第１スイッチ手段の前記第１出力端子に接続され、前記アイ開口時点に対応するサンプルに対して識別処理を行い、送信されたデータ列を再生する識別手段と；
該識別手段の出力を１シンボル時間保持する記憶手段と；
該記憶手段の出力および前記識別手段の出力を入力とし、時間的に連続した２シンボルにわたる識別手段の出力に基づいて後述の第２スイッチ手段およびｎ個の位相誤差検出手段に対して制御を行う制御手段と；
前記第１スイッチ手段の第２出力端子の出力を入力とし、該入力信号を前記制御手段の制御下でｎ個の出力端子に出力する第２スイッチ手段と；
該第２スイッチ手段のｎ個（ｎ≦２（Ｍ−１）・（２Ｍ−１））の各出力端子にそれぞれ接続されたｎ個の位相誤差検出手段と；
該ｎ個の位相誤差検出手段の出力を入力とし、平均化処理を行う平均化手段と；
を具備し、
前記位相誤差検出手段が、前記制御手段により制御される前記第２スイッチ手段の出力を入力とし、前記制御手段の出力に従い、時間的に連続した第１シンボルと第２シンボルとの２シンボルにわたる４Ｍ通りの信号遷移のうち、２シンボルとも同一の振幅を取る信号遷移を除いた２Ｍ・（２Ｍ−１）通りの信号遷移について、
前記時間的に連続した２シンボルの送信データに対応する信号振幅の平均値を基準信号振幅とし、
・第１シンボルが基準信号振幅以下で、且つ第２シンボルが基準信号振幅以上、
・第１シンボルが基準信号振幅以上で、且つ第２シンボルが基準信号振幅以下、
の２通りの信号遷移について、前記第２スイッチ手段の出力からの入力信号を基準信号振幅を中心に折り返すことで、遷移の向きを右上がり、あるいは左上がりにそろえ、その上で該入力信号と前記基準信号振幅との差を位相誤差として出力するようにしたことを特徴とするタイミング同期回路にある。
【００１６】
また、請求項２の発明は、請求項１記載のタイミング同期回路において、前記位相誤差検出手段が前記第２スイッチ手段からの入力信号と前記基準信号振幅との差の符号を位相誤差信号として出力することを特徴とする。
【００１７】
また、請求項３の発明は、請求項２記載のタイミング同期回路において、前記入力信号の内部表現に自然２進数を割り当てた場合に、前記ｎ個の位相検出手段を排他的論理和で実現することを特徴とする。
【００１８】
また、請求項４の発明は、請求項１〜３のいずれか一項に記載のタイミング同期回路おいて、前記ｎ個の位相誤差検出手段の出力の後段に各々重み付け手段を設けたことを特徴とする。
【００１９】
また、請求項５の発明は、ＰＳＫを含む４Ｍ値ＱＡＭ変調信号（Ｍは自然数）の復調に用いるタイミング同期回路において、当該タイミング同期回路が：
シンボルレートの２倍のサンプリングレートでサンプリングされた、直交復調器の同相チャネル出力または直交チャネル出力を、ローパスフィルタを介して入力として、
該入力信号に対して、アイ開口時点に対応するサンプルは第１出力端子に出力し、アイ開口時点以外のサンプルは第２出力端子に出力するスイッチ手段と；
該スイッチ手段の前記第１出力端子に接続され、前記アイ開口時点に対応するサンプルに対して識別処理を行い、送信されたデータ列を再生する識別手段と；
該識別手段の出力を１シンボル時間保持する記憶手段と；
前記スイッチ手段の第２出力端子の出力と、前記識別手段の出力および前記記憶手段の出力とを入力として、前記スイッチ手段の第２出力端子からの入力と後述の基準信号振幅との差を位相誤差として出力する位相誤差検出手段と；
該位相誤差検出手段の出力を入力とし、平均化処理を行う平均化手段と；
を具備し、
前記位相誤差検出手段が、
前記識別手段の出力および前記記憶手段の出力を入力として、時間的に連続した第１シンボルと第２シンボルとの２シンボルにわたる４Ｍ通りの信号遷移のうち、２シンボルとも同一の振幅を取る信号遷移を除いた２Ｍ・（２Ｍ−１）通りの信号遷移について、前記第１および第２シンボルの送信データに対応する信号振幅の平均値を前記基準信号振幅として出力する基準信号振幅計算手段と、
該基準信号振幅計算手段の出力を前記スイッチ手段の第２出力端子からの入力から減算する減算手段と、
該減算手段の出力を入力として、
・第１シンボルが基準信号振幅以下で、且つ第２シンボルが基準信号振幅以上、
・第１シンボルが基準信号振幅以上で、且つ第２シンボルが基準信号振幅以下、
の２通りの信号遷移について、前記前記減算手段の出力を符号反転し、遷移の向きを右上がり、あるいは左上がりにそろえるための符号反転手段と、
で構成されるようにしたことを特徴とするタイミング同期回路にある。
【００２０】
また、請求項６の発明は、請求項５記載のタイミング同期回路において、前記位相誤差検出手段は位相誤差の符号を表す１ビットのみを出力することを特徴とする。
【発明の効果】
【００２１】
上述した請求項１記載の発明によれば、時間的に連続した２シンボルにわたる４M通りの信号遷移において、始終点の組み合わせが同一の信号遷移でのアイクローズ点のサンプル値の平均が基準信号振幅、即ち２シンボルの各送信信号に対応する信号振幅の平均値に等しくなる。また、信号遷移の種類毎にアイクローズ点のサンプル値と基準信号振幅との差をタイミング位相誤差として利用することで、ゼロクロス法をそのまま多値ＱＡＭに適用した場合のようなジッタの増大を防ぐことができる。これは、多値ＱＡＭにおいても始終点の組み合わせが同一の信号遷移であれば、アイクローズ点のサンプル値の分散が小さいことによる。従って、先に説明したゼロクロス法と同様に、基準信号振幅を中心として折り返すことで、遷移の向きを右上がり、あるいは左上がりにそろえれば、アイクローズ点のサンプルと基準信号振幅との差はタイミング位相誤差として利用することが可能となる。
【００２２】
また、本発明においては、４M通りの信号遷移のうち、同一の信号振幅を取る場合を除く（４M−２M）通りの信号遷移をタイミング制御に利用できることになる。例えば、１６ＱＡＭ（Ｍ＝２）の場合、全１６通りの信号遷移のうち、１２通りがタイミング制御に利用可能であり（前記特許文献２の技術では４通りのみ可能）、従って利用可能なサンプル数は３倍となる。これにより、タイミング同期制御の制御利得を増大することが可能となり、バースト信号伝送においても十分な精度のタイミング同期を得ることができる。さらに本発明においては、ジッタを低減するためにループフィルタの狭帯域化はしておらず、入力信号のばらつきの影響自体を低減しているため、ループフィルタを狭帯域化した場合に問題となる引き込み時間が長くなったり、あるいは引き込み範囲が狭くなったりする等の問題が生じなくなる。
【００２３】
請求項２記載の発明においては、タイミング位相誤差の符号のみ（１ビット）を位相誤差検出手段の出力とすることにより、位相誤差検出手段自体の簡易化が図れるのみならず、後続の平均化手段の入力がそれぞれ１ビットとなることから、平均化手段の簡易化も可能となる。
【００２４】
また、請求項３に記載の発明においては、入力信号に対する内部表現に自然２進数を割当てた場合に、内部表現されたアイ開口点およびアイクローズ点のサンプル値の特定のビットに着目すれば、排他的論理和を取ることによりタイミング位相誤差検出手段を実現でき、これによりその回路構成の簡易化を図ることができ、延いてはタイミング同期回路全体のさらなる簡易化が可能となる。
【００２５】
さらに、請求項４に記載の発明においては、ｎ個の位相誤差検出手段のうち、基準信号振幅の絶対値が大きな信号遷移に対応した位相誤差検出手段ほど、出力の分散が大きくなるために、予め基準信号がゼロの位相誤差検出手段の分散を１とした時の分散の比の逆数で重み付けを行うことで、平均化手段での影響を低減することが可能となる。
【００２６】
また、請求項５に記載の発明においては、請求項１〜４に記載の発明と同じ処理をより簡易な構成で実現することができる。即ち、請求項５に記載の発明においては、時間的に連続した２シンボルの識別手段出力を元にｎ種類の基準信号振幅を生成させ、これをアイクローズ点に対応した入力信号から減算する。この減算処理によって、入力信号は基準信号振幅分だけシフトされることになり、ゼロに関して対称な信号遷移の場合の入力信号と等価になるため、減算手段の出力はタイミング位相誤差がなければ平均的にゼロになる。従って、請求項１〜４に記載の発明のように基準信号振幅の異なるｎ個のタイミング位相誤差検出手段を持つ代わりに、ゼロを基準信号振幅とする（即ち、従来のゼロクロスと同じ）１種類のタイミング位相誤差検出手段により、請求項１〜４に記載の発明と同様の機能を実現することができる。同時に、複数のタイミング位相誤差検出手段へのスイッチによる入力信号の振り分けや、個々のタイミング位相誤差検出手段への制御も不要となる。
【００２７】
さらに、請求項６に記載の発明によれば、請求項５に記載の発明において位相誤差検出手段が出力するビット数を１ビットとすることで、請求項１に対する請求項２と同様に回路の一層の簡易化を図ることができる。
【００２８】
このように、本発明のタイミング同期回路により、連続信号伝送におけるタイミング同期確立手段としてのみならず、バースト信号伝送におけるタイミング同期追従手段としても良好に動作する多値ＱＡＭ用のタイミング同期回路を提供することが可能となる。
【発明を実施するための最良の形態】
【００２９】
本発明の実施の形態を図面を参照して説明する。
図１は本発明によるタイミング同期回路の実施の形態の一例を示すブロック図であり、図２は本発明で用いる位相誤差検出手段の動作原理を示す図である。
【００３０】
先ず図１および図２を用いて、４M値ＱＡＭとしてＭ＝２とする１６ＱＡＭを用いた場合の本発明における請求項１〜３記載に係る実施の形態について説明する。ここでは説明の都合上、隣接した信号点への信号遷移（例えば、信号振幅：３⇔１の間の信号遷移）の場合について説明するが、それ以外の信号遷移（例えば信号振幅：３⇔−１の間の信号遷移）についても同様の原理により所望のタイミング誤差出力を得ることができる。
【００３１】
受信された１６ＱＡＭ信号は、直交復調器においてベースバンド信号に変換されてから、タイミング同期のために、直交復調器の同相チャネルまたは直交チャネル出力がローパスフィルタを介して入力端子１０より本発明のタイミング同期回路に入力される。ここで、入力されたベースバンド信号はシンボルレートの２倍のサンプリングレートでサンプリングされているものとする。従って、入力端子１０に入力される直交復調器出力は図２（横軸は時間、縦軸は信号振幅を表す）に示すように、アイ開口点とアイクローズ点が交互に配置されている。
【００３２】
入力端子１０に入力された信号は、第１スイッチ手段１００においてアイ開口点に対応するサンプル値は識別手段１１０に、アイクローズ点に対応するサンプル値は第２スイッチ手段２００にそれぞれ振り分けられる。このうち識別手段１１０に入力されたサンプル値に対しては、１６ＱＡＭの識別処理が行われ、送信データ列が得られる。時間的に連続した２シンボルにわたる信号遷移に基づいて以後の処理を行うため、識別手段１１０の出力は該識別手段１１０の出力を１シンボル時間記憶する記憶手段１２０に入力される。制御手段１３０は２シンボルの送信データに基づいて第２スイッチ手段２００およびｎ個の位相誤差検出手段２１０，２２０，…，２３０に対して制御を行う。
【００３３】
一方、第１スイッチ手段１００において振り分けられて第２スイッチ手段２００に送られたアイクローズ点に対応するサンプル値は、制御手段１３０の制御により当該アイクローズ点の前後の２シンボルのデータに基づいて該当する位相遷移に対応した位相誤差検出手段２１０〜２３０に入力される。例えば、送信データ（信号振幅）が到来時刻順に＋１、＋３であれば位相誤差検出手段２１０に、送信データ（信号振幅）が＋１、−１であれば位相誤差検出手段２２０に入力される。この場合の位相誤差検出手段の個数ｎ（ｎ≦２（Ｍ−１）・（２Ｍ−１））はＭ＝２にて最大で６個であるが、全ての信号遷移に対して必ず位相誤差検出手段を用意する必要はなく、必要に応じた任意の数の使用が可能である。
【００３４】
送信データ（信号振幅）が＋１、＋３であり、アイクローズ点のサンプル値が位相誤差検出手段２１０に入力された先の例を用いて説明する。図２中、右側の矢印および（）内は基準信号振幅および対応する信号遷移を示している。なお、位相誤差検出手段２１０の基準信号振幅は信号振幅＋１および＋３の平均値（＝＋２）である。（右上がりの信号遷移を基準とすると）信号遷移が右上がりであるため、そのまま基準信号振幅との差をタイミング位相誤差として出力する。即ち、位相進みの場合には負、位相遅れの場合には正の値（図中の太線部分）がタイミング誤差として出力される。このように、位相誤差検出手段２１０〜２３０においては、時間的に連続した第１シンボルと第２シンボルの２シンボルの送信データに対応する信号振幅の中間値を基準信号振幅として、第１シンボルが基準信号振幅以下で、且つ第２シンボルが基準信号振幅以上の場合と、第１シンボルが基準信号振幅以上で、且つ第２シンボルが基準信号振幅以下の場合の２通りの信号遷移について、前記第２スイッチ手段からの入力信号を基準信号振幅を中心に折り返すことで、遷移の向きを右上がり、あるいは左上がりにそろえ、その上で該入力信号と前記基準信号振幅との差を位相誤差として出力する。
【００３５】
位相誤差検出手段２１０〜２３０からの位相誤差としてのタイミング誤差は平均化手段３００にて平均化処理されて出力端子２０から出力される。
【００３６】
請求項２においては、位相誤差検出手段が上記のタイミング誤差の符号のみ（１ビット）を出力するように各位相誤差検出手段２１０〜２３０を構成する。
【００３７】
請求項３においては、入力された１６ＱＡＭの信号に対して、入力信号の内部表現に自然２進数を割り当てる。この場合の関係を図３に示す。なお、内部表現については上位４ビットのみを示してある。さらに、この図の信号振幅が１から３の間の部分を拡大したものを図４に示す。図４によれば、タイミング誤差が存在する場合のアイ開口点およびアイクローズ点のサンプル値の上位２ビット目の値の関係は図５に示すようになることが分かる。従って、アイ開口点およびアイクローズ点のサンプル値の排他的論理和を取ることによりタイミング位相誤差検出手段を実現できることが分かる。これにより容易に位相誤差検出手段を構成することが可能となる。
【００３８】
次いで、図６を用いて、請求項４に係る実施の形態について説明する。なお、図６において、図１に対応する要素には同一参照番号を付して示してある。
【００３９】
位相誤差検出手段２１０〜２３０のうち、基準信号振幅の絶対値が大きな信号遷移に対応した位相誤差検出手段ほど、分散が大きくなる。このため、図６の例では、予め基準信号振幅がゼロの位相誤差検出手段の分散を１とした時の分散の比の逆数で重み付けを行う重み付け手段を各位相誤差検出手段２１０〜２３０の出力端子に接続して、平均化手段での影響を低減する。
【００４０】
次に図７を用いて請求項５に係る実施の形態について説明する。基本的な動作原理は請求項１〜４に記載の発明と同一である。図７においても、図１に対応するか、同様な作用をする要素には同一参照番号を付して示してある。
【００４１】
スイッチ手段１００においてアイ開口点に対応するサンプル値は識別手段１１０に、アイクローズ点に対応するサンプル値は位相誤差検出手段２５０に振り分けられる。このうち識別手段１１０に入力されたサンプル値に対しては、１６ＱＡＭの識別処理が行われ、送信データ列が得られる。時間的に連続した２シンボルにわたる信号遷移に基づいて以後の処理を行うため、識別手段１１０の出力は１時刻前の識別手段１１０の出力を記憶する記憶手段１２０に入力される。
【００４２】
先の例において図２を用いて説明したのと同様に、送信データ（信号振幅）は＋１、＋３とし、アイクローズ点のサンプル値が位相誤差検出手段２５０に入力された場合について説明する。識別手段１１０の出力および記憶手段１２０の出力を入力とする基準信号振幅計算手段２７０は、これら２つの入力信号振幅の平均値（＝＋２）を基準信号振幅として出力する。減算手段２６０においては、スイッチ手段１００から入力されたアイクローズ点のサンプル値から、基準信号振幅計算手段２７０の出力が減算される。この減算処理によって、入力信号は基準信号振幅分だけシフトされることになり、ゼロに関して対称な信号遷移の場合の入力信号と等価になるため、減算手段２６０の出力はタイミング位相誤差がなければ平均的にゼロとなる。従って、請求項１〜４に記載の発明のように基準信号振幅の異なるｎ個のタイミング位相誤差検出手段を持つ代わりに、ゼロを基準信号振幅とする（即ち、従来のゼロクロスと同じ）１種類のタイミング位相誤差検出手段により、請求項１〜４に記載の発明と同様の機能を実現することができる。
【００４３】
減算手段２６９の出力は信号遷移の向きをそろえるための符号反転手段２８０に入力される。この符合反転手段２８０は、基準信号振幅計算手段２７０からの信号遷移の向きに関する情報に基づいて、信号遷移が右上がりの場合にはそのまま減算手段２６０の出力を出力とし、左上がりの場合には減算手段２６０の出力を符号反転して出力するものとする。この例では、信号遷移が右上がりであるため、そのまま減算手段２６０の出力をタイミング位相誤差として出力する。これにより、先に説明した請求項１〜４に記載の発明の動作と同じく、位相進みの場合には負、位相遅れの場合には正の値（図２中の太線部分）がタイミング誤差として出力される。
【００４４】
請求項６においては、位相誤差検出手段２５０は、上述したタイミング誤差の符号のみ（１ビット）を出力するように構成する。
【図面の簡単な説明】
【００４５】
【図１】本発明の請求項１〜３に係る実施の形態を説明した図である。
【図２】本発明の請求項１の位相誤差検出手段の動作原理を説明した図である。
【図３】本発明の請求項３に係る動作原理を説明するため、１６ＱＡＭの信号に対して、入力信号の内部表現に自然２進数を割当てた場合の受信信号と内部表現の関係（上位４ビット）を示した図である。
【図４】図３の一部を拡大した図である。
【図５】本発明の請求項３の位相誤差検出手段の動作原理を説明した図である。
【図６】本発明の請求項４に係る実施の形態を説明した図である。
【図７】本発明の請求項５に係る実施の形態を説明した図である。
【図８】従来技術によるタイミング同期回路の構成を示した図である。
【図９】従来技術によるタイミング同期回路の動作原理を説明した図である。
【符号の説明】
【００４６】
１０  入力端子
２０  出力端子
１００  （第１）スイッチ手段
１１０  識別手段
１２０  記憶手段
１３０  制御手段
２００  第２スイッチ手段
２１０，２２０，２３０  位相誤差検出手段
２５０  位相誤差検出手段
２６０  減算手段
２７０  基準信号振幅計算手段
２８０  符号反転手段
３００  平均化手段
３１０，３２０，３３０  重み付け手段
４００  Ａ／Ｄ変換器
４１０  位相誤差検出手段
４２０  ローパスフィルタ
４３０  ＶＯＣ
【図１】
2005160006.tif 000003
【図２】
2005160006.tif 000004
【図３】
2005160006.tif 000005
【図４】
2005160006.tif 000006
【図５】
2005160006.tif 000007
【図６】
2005160006.tif 000008
【図７】
2005160006.tif 000009
【図８】
2005160006.tif 000010
【図９】
2005160006.tif 000011